(57)【要約】【課題】建築物の免震構造に用いられ、柱であるＨ形鋼とＨ形鋼との間の結合部、または、筋交いと柱であるＨ形鋼の結合部に用いられ、地震などの揺れによる衝撃を吸収するための免震ダンパーの試験用固定治具、および、免震ダンパーの試験用固定治具を用いた試験装置を提供する。【解決手段】  固定部材３６には、免震ダンパー１００の外側板状体１０６の固定用突出部１１２に形成された取り付けボルト穴１１４に対応するように、締結ボルト穴４６が形成され、締結ボルト穴４６の内径の寸法Ｘ１が、締結ボルト５２の外形の寸法Ｘ２よりも大きく構成され、加圧ナット２０の内径の寸法Ｙ１が、加圧ナット２０を介して装着された治具支柱２６の外形の寸法Ｙ２よりも大きく構成されている。【選択図】図１
2019184334.tif 000002
【特許請求の範囲】
【請求項１】
内側板状体と、内側板状体の両面に設けた一対のゴム部材と、ゴム部材の外側に設けられた一対の外側板状体とから構成される免震ダンパーの試験用固定治具であって、
ベースプレート上に立設されて、相互に離間した状態で配置され、前記免震ダンパーの外側板状体の固定用突出部を挟着固定するように構成した一対の固定治具部材を備え、
前記固定治具部材がそれぞれ、
前記ベースプレート上に固着された固定ナットと、
前記固定ナットに、加圧ナットを介して装着された治具支柱と、
前記治具支柱の上部に固定された治具本体部と、
前記治具本体部に回動軸を介して回動可能に装着された固定部材とを備え、
前記固定部材には、前記免震ダンパーの外側板状体の固定用突出部に形成された取り付けボルト穴に対応するように、締結ボルト穴が形成され、
前記締結ボルト穴の内径の寸法Ｘ１が、締結ボルトの外形の寸法Ｘ２よりも大きく構成され、
前記加圧ナットの内径の寸法Ｙ１が、前記加圧ナットを介して装着された治具支柱の外形の寸法Ｙ２よりも大きく構成されていることを特徴とする免震ダンパーの試験用固定治具。
【請求項２】
前記固定治具部材がそれぞれ、
前記免震ダンパーの外側板状体の固定用突出部に形成された取り付けボルト穴に対応するように、締結ナット穴が形成された締結ナットを介して、
前記締結ボルトにより、免震ダンパーの外側板状体の固定用突出部を締結するように構成されていることを特徴とする請求項１に記載の免震ダンパーの試験用固定治具。
【請求項３】
前記固定治具部材がそれぞれ、
前記固定部材の回動軸の回動を固定する回動固定部を備えることを特徴とする請求項１から２のいずれかに記載の免震ダンパーの試験用固定治具。
【請求項４】
前記回動固定部が、
前記治具本体部に立設されたフランジ部と、
前記フランジ部に形成され、前記固定部材の回動軸を挿着する軸穴と、
前記軸穴に形成されたスリットと、
前記スリットを締め付ける締め付けボルトと、
を備えることを特徴とする請求項３に記載の免震ダンパーの試験用固定治具。
【請求項５】
請求項１から４のいずれかに記載の免震ダンパーの試験用固定治具を用いて試験を行うように構成したこと特徴とする試験装置。
【発明の詳細な説明】
【技術分野】
【０００１】
本発明は、例えば、建築物の免震構造に用いられ、柱であるＨ形鋼とＨ形鋼との間の結合部、または、筋交いと柱であるＨ形鋼の結合部に用いられ、例えば、地震などの揺れによる衝撃を吸収するための免震ダンパーの試験用固定治具、および、免震ダンパーの試験用固定治具を用いた試験装置に関する。
【背景技術】
【０００２】
より詳細には、このような免震ダンパーは、図７に示したような構造を有している。
【０００３】
すなわち、図７の斜視図に示したように、免震ダンパー１００は、例えば、鋼板からなる矩形状の内側板状体１０２を備えており、この内側板状体１０２の両面に、例えば、粘弾性を有する免震ゴムから構成される矩形状の一対のゴム部材１０４が設けられている。
【０００４】
さらに、これらのゴム部材１０４の外側に、一対の外側板状体１０６が設けられている。さらに、図７に示したように、内側板状体１０２の一方の端部１０８ａが、ゴム部材１０４の一方の端部１０４ａ、外側板状体１０６の一方の端部１０６ａよりも、長手方向に突出した構造となっている。そして、この内側板状体１０２の一方の固定用突出部１０８には、複数の取り付けボルト穴１１０が設けられている。
【０００５】
一方、外側板状体１０６の他方の端部１０６ｂが、内側板状体１０２の他方の端部１０２ｂ、ゴム部材１０４の他方の端部１０４ｂよりも、長手方向に突出した構造となっている。そして、この外側板状体１０６の他方の固定用突出部１１２には、複数の取り付けボルト穴１１４が設けられている。
【０００６】
このような構造の免震ダンパー１００を、例えば、特許文献１（特開２００５−３３７９号公報）、特許文献２（特開２００３―２０７４３０号公報）などに開示されるような、試験装置を用いて、内側板状体１０２の突出部１０８の複数の取り付けボルト穴１１０に取り付けボルトを装着して、試験装置の一方のつかみ部に固定するとともに、外側板状体１０６の固定用突出部１１２の複数の取り付けボルト穴１１４に取り付けボルトを装着して、試験装置の他方のつかみ部に固定して、振動試験などの試験が行われるようになっている。
【先行技術文献】
【特許文献】
【０００７】
【特許文献１】特開２００５−３３７９号公報
【特許文献２】特開２００３―２０７４３０号公報
【発明の概要】
【発明が解決しようとする課題】
【０００８】
ところで、このような構造の免震ダンパー１００では、加工精度のバラツキによって、ゴム部材１０４の厚さが均一ではなくバラツキがあるため、一対の外側板状体１０６の間は平行でないことがある。
【０００９】
このため、このような構造の免震ダンパー１００では、図７の厚さ方向（矢印Ａ方向、すなわち、離間距離方向）のずれが生じることがある。例えば、図示しないが、断面視で、一対の外側板状体１０６が、八の字形状になったり、逆八の字形状になったりする。
【００１０】
また、このような構造の免震ダンパー１００では、図７のねじれ方向（矢印Ｂ方向）のずれ、図７の回転方向（矢印Ｃ方向）のずれが生じることがある。
【００１１】
このため、このようなずれを生じた免震ダンパー１００に対して、取り付け治具で挟持して固定しようとする場合、免震ダンパー１００のこれらのずれが矯正されてしまう場合がある。
【００１２】
このように取り付け治具で免震ダンパー１００のこれらのずれが矯正（修正）された状態で試験を行えば、実際の免震ダンパー１００の試験結果とかけ離れた試験データーになってしまい、正確な試験を行うことができない。
【００１３】
このため、従来の試験装置では、特許文献１のように、取り付け治具の間に、シム材、隙間ゲージなどの補正部材を挟んで、このような免震ダンパー１００のずれが矯正されるのを防止するようになっている。
【００１４】
しかしながら、このような免震ダンパー１００のこれらのずれの大きさ、種類によって、複数の寸法、形状のシム材を準備して、これらを単独で、または、組み合わせて使用しなければならず、煩雑な作業が必要で、手間と時間がかかり、試験コストも上昇することになる。
【００１５】
本発明は、このような現状に鑑み、免震ダンパーのずれが矯正されず、免震ダンパーのずれが生じた状態のままで、免震ダンパーを試験用固定治具に固定可能で、実際の免震ダンパーの試験結果とかけ離れた試験データーになることなく、正確な試験を行うことが可能な免震ダンパーの試験用固定治具、および、免震ダンパーの試験用固定治具を用いた試験装置を提供することを目的とする。
【００１６】
また、本発明は、従来のようなシム材、隙間ゲージなどの補正部材が不要で、コストと手間を低減でき、しかも、免震ダンパーの試験用固定治具への取り付けも容易で、取り付け精度のバラツキがなく、ガタつきによる非線形な要因が試験結果に影響を及ぼさない免震ダンパーの試験用固定治具、および、免震ダンパーの試験用固定治具を用いた試験装置を提供することを目的とする。
【課題を解決するための手段】
【００１７】
本発明は、前述したような従来技術における課題及び目的を達成するために発明されたものであって、本発明の免震ダンパーの試験用固定治具は、
内側板状体と、内側板状体の両面に設けた一対のゴム部材と、ゴム部材の外側に設けられた一対の外側板状体とから構成される免震ダンパーの試験用固定治具であって、
ベースプレート上に立設されて、相互に離間した状態で配置され、前記免震ダンパーの外側板状体の固定用突出部を挟着固定するように構成した一対の固定治具部材を備え、
前記固定治具部材がそれぞれ、
前記ベースプレート上に固着された固定ナットと、
前記固定ナットに、加圧ナットを介して装着された治具支柱と、
前記治具支柱の上部に固定された治具本体部と、
前記治具本体部に回動軸を介して回動可能に装着された固定部材とを備え、
前記固定部材には、前記免震ダンパーの外側板状体の固定用突出部に形成された取り付けボルト穴に対応するように、締結ボルト穴が形成され、
前記締結ボルト穴の内径の寸法Ｘ１が、締結ボルトの外形の寸法Ｘ２よりも大きく構成され、
前記加圧ナットの内径の寸法Ｙ１が、前記加圧ナットを介して装着された治具支柱の外形の寸法Ｙ２よりも大きく構成されていることを特徴とする。
【００１８】
このように構成することによって、固定部材が、治具本体部に回動軸を介して回動可能に装着されているので、固定部材が、回動軸を中心に回動する。
【００１９】
これにより、図７の厚さ方向（矢印Ａ方向、すなわち、離間距離方向）のずれが生じた場合、例えば、断面視で、一対の外側板状体１０６が、八の字形状になったり、逆八の字形状になった状態を吸収することができる。
【００２０】
また、固定部材には、免震ダンパーの外側板状体の固定用突出部に形成された取り付けボルト穴に対応するように、締結ボルト穴が形成されている。
【００２１】
そして、締結ボルト穴の内径の寸法Ｘ１が、締結ボルトの外形の寸法Ｘ２よりも大きく構成されており、クリアランスを有しているので、図７の回転方向（矢印Ｃ方向）のずれを吸収することができる。
【００２２】
さらに、加圧ナットの内径の寸法Ｙ１が、加圧ナットを介して装着された治具支柱の外形の寸法Ｙ２よりも大きく構成されており、クリアランスを有しているので、図７のねじれ方向（矢印Ｂ方向と矢印Ａ方向）のずれを吸収することができる。
【００２３】
従って、免震ダンパー１００のずれが矯正されず、免震ダンパー１００のずれが生じた状態のままで、免震ダンパー１００を試験用固定治具に固定可能で、実際の免震ダンパー１００の試験結果とかけ離れた試験データーになることなく、正確な試験を行うことが可能である。
【００２４】
また、従来のようなシム材、隙間ゲージなどの補正部材が不要で、コストと手間を低減でき、しかも、免震ダンパー１００の試験用固定治具への取り付けも容易で、取り付け精度のバラツキがなく、ガタつきによる非線形な要因が試験結果に影響を及ぼさない。
【００２５】
また、本発明の免震ダンパーの試験用固定治具は、
前記固定治具部材がそれぞれ、
前記免震ダンパーの外側板状体の固定用突出部に形成された取り付けボルト穴に対応するように、締結ナット穴が形成された締結ナットを介して、
前記締結ボルトにより、免震ダンパーの外側板状体の固定用突出部を締結するように構成されていることを特徴とする。
【００２６】
このように構成することによって、締結ナット穴が形成された締結ナットを介して、締結ボルトにより、免震ダンパーの外側板状体の固定用突出部を締結することができるので、図７の回転方向（矢印Ｃ方向）のずれを吸収した状態で、免震ダンパー１００の取り付け作業が容易で、しっかりと固定できる。
【００２７】
また、本発明の免震ダンパーの試験用固定治具は、
前記固定治具部材がそれぞれ、
前記固定部材の回動軸の回動を固定する回動固定部を備えることを特徴とする。
【００２８】
このように構成することによって、固定治具部材がそれぞれ、固定部材の回動軸の回動を固定する回動固定部を備えるので、固定部材が、回動軸を中心に回動するのを防止した状態で、固定することができる。
【００２９】
これにより、図７の厚さ方向（矢印Ａ方向、すなわち、離間距離方向）のずれが生じた場合、例えば、断面視で、一対の外側板状体１０６が、八の字形状になったり、逆八の字形状になった状態を吸収した状態で、免震ダンパー１００を取り付けることができる。
【００３０】
また、本発明の免震ダンパーの試験用固定治具は、
前記回動固定部が、
前記治具本体部に立設されたフランジ部と、
前記フランジ部に形成され、前記固定部材の回動軸を挿着する軸穴と、
前記軸穴に形成されたスリットと、
前記スリットを締め付ける締め付けボルトと、
を備えることを特徴とする。
【００３１】
このように構成することによって、締め付けボルトを締め付けて、スリットを締め付けるだけで、回動軸を中心に固定部材が回動するのを防止した状態で、固定部材３６を固定することができる。
【００３２】
これにより、図７の厚さ方向（矢印Ａ方向、すなわち、離間距離方向）のずれが生じた場合、例えば、断面視で、一対の外側板状体１０６が、八の字形状になったり、逆八の字形状になった状態を吸収した状態で、免震ダンパー１００を取り付けることができる。
【００３３】
また、本発明の試験装置は、前述のいずれかに記載の免震ダンパーの試験用固定治具を用いて試験を行うように構成したこと特徴とする。
【発明の効果】
【００３４】
本発明によれば、固定部材が、治具本体部に回動軸を介して回動可能に装着されているので、固定部材が、回動軸を中心に回動する。
【００３５】
これにより、図７の厚さ方向（矢印Ａ方向）のずれが生じた場合、例えば、断面視で、一対の外側板状体１０６が、八の字形状になったり、逆八の字形状になった状態を吸収することができる。
【００３６】
また、固定部材には、免震ダンパーの外側板状体の固定用突出部に形成された取り付けボルト穴に対応するように、締結ボルト穴が形成されている。
【００３７】
そして、締結ボルト穴の内径の寸法Ｘ１が、締結ボルトの外形の寸法Ｘ２よりも大きく構成されており、クリアランスを有しているので、図７の回転方向（矢印Ｃ方向）のずれを吸収することができる。
【００３８】
さらに、加圧ナットの内径の寸法Ｙ１が、前記加圧ナットを介して装着された治具支柱の外形の寸法Ｙ２よりも大きく構成されており、クリアランスを有しているので、図７のねじれ方向（矢印Ｂ方向と矢印Ａ方向）のずれを吸収することができる。
【００３９】
従って、免震ダンパー１００のずれが矯正されず、免震ダンパー１００のずれが生じた状態のままで、免震ダンパー１００を試験用固定治具に固定可能で、実際の免震ダンパー１００の試験結果とかけ離れた試験データーになることなく、正確な試験を行うことが可能である。
【００４０】
また、従来のようなシム材、隙間ゲージなどの補正部材が不要で、コストと手間を低減でき、しかも、免震ダンパー１００の試験用固定治具への取り付けも容易で、取り付け精度のバラツキがなく、ガタつきによる非線形な要因が試験結果に影響を及ぼさない。
【図面の簡単な説明】
【００４１】
【図１】図１は、本発明の免震ダンパーの試験用固定治具の斜視図である。
【図２】図２は、本発明の免震ダンパーの試験用固定治具を用いて免震ダンパーを固定した状態を説明する斜視図である。
【図３】図３は、図３のＩ―Ｉ線での断面図である。
【図４】図４は、図３の部分拡大断面図である。
【図５】図５は、図５は、本発明の試験用固定治具１０を、試験の一例として、振動試験を行う試験装置に適用した実施例を示す概略図である。
【図６】図６は、図５の試験装置本体の使用状態を説明する正面図である。
【図７】図７は、免震ダンパーの構造を示す斜視図である。
【発明を実施するための形態】
【００４２】
以下、本発明の実施の形態（実施例）を図面に基づいてより詳細に説明する。
（実施例１）
【００４３】
図１は、本発明の免震ダンパーの試験用固定治具の斜視図、図２は、本発明の免震ダンパーの試験用固定治具を用いて免震ダンパーを固定した状態を説明する斜視図、図３は、図３のＩ―Ｉ線での断面図、図４は、図３の部分拡大断面図である。
【００４４】
図１〜図４において、符号１０は、全体で本発明の免震ダンパーの試験用固定治具（以下、単に、「試験用固定治具」と言う）を示している。
【００４５】
図２、図３に示したように、本発明の試験用固定治具１０は、図７に示した構造の免震ダンパー１００の外側板状体１０６の他方の固定用突出部１１２側を固定するように構成されている。
【００４６】
図１〜図３に示したように、本発明の試験用固定治具１０は、ベースプレート１２を備えている。このベースプレート１２上に立設されて、相互に離間した状態で配置され、免震ダンパー１００の外側板状体１０６の固定用突出部１１２を挟着固定するように構成した一対の固定治具部材１４を備えている。
【００４７】
また、固定治具部材１４が、ベースプレート１２上に固着された固定ナット１６を備えている。この実施例では、図３に示したように、左右の固定治具部材１４に共通な１個の固定ナット１６が固定されている。なお、符号１１は、ベースプレートを試験装置のつかみ部に固定するための固定ボルト穴を示している。
【００４８】
さらに、この固定ナット１６には、図３、図４に示したように、左右の固定治具部材１４に対応するように、２個の固定用穴部１８が形成されている。そして、この固定用穴部１８の内周には、雌ネジ２１が、それぞれ形成されている。
【００４９】
また、本発明の試験用固定治具１０は、左右の固定治具部材１４に対応するように、２個の加圧ナット２０が、備えられている。そして、この加圧ナット２０の外周には、雄ネジ２２が形成されており、固定ナット１６の固定用穴部１８の内周に形成された雌ネジ２１と螺着されるように構成されている。
【００５０】
また、加圧ナット２０には、固定ナット１６の固定用穴部１８に対応するように、挿通穴２４が形成されている。
【００５１】
さらに、固定ナット１６の固定用穴部１８に、治具支柱２６の支柱部２８が挿通されるとともに、治具支柱２６の下端の拡径部２９が、ベースプレート１２上に着座するように立設されている。
【００５２】
そして、図３、図４に示したように、加圧ナット２０を締め付けることによって、加圧ナット２０を介して、固定ナット１６に、治具支柱２６が固定されるようになっている。
【００５３】
また、図１〜図２に示したように、治具支柱２６の支柱部２８の上部に、略コ字形状の治具本体部３０が固定されている。
【００５４】
そして、治具本体部３０は、治具本体底部３２と、この治具本体底部３２の両端部から上方に延設された２個のフランジ部３４を備えている。これらのフランジ部３４の間に、固定部材３６が、図２の矢印Ｄで示したように、回動軸３８を介して回動可能に装着されている。また、固定部材３６の回動軸の回動を固定する回動固定部４０を備えている。
【００５５】
具体的には、回動固定部４０として、図１〜図２に示したように、これらのフランジ部３４には、固定部材３６の回動軸３８を挿着する軸穴４１が形成されている。また、軸穴４１には、スリット４２が形成されているとともに、スリット４２を締め付ける締め付けボルト４４を備えている。
【００５６】
このように構成することによって、固定部材３６が治具本体部３０に回動軸３８を介して回動可能に装着されているので、固定部材３６が図２の矢印Ｄで示したように、回動軸３８を中心に回動するとともに、締め付けボルト４４を締め付けて、スリット４２を締め付けるだけで、回動軸３８を中心に固定部材３６が回動するのを防止した状態で、固定部材３６を固定することができる。
【００５７】
さらに、加圧ナット２０の内径の寸法Ｙ１が、加圧ナット２０を介して装着された治具支柱２６の支柱部２８の外形の寸法Ｙ２よりも大きく構成されており、クリアランスＴ２が形成されているので、図４のＸ−Ｙ平面に自由度がある。
【００５８】
これにより、図７の厚さ方向（矢印Ａ方向、すなわち、離間距離方向）のずれが生じた場合、例えば、断面視で、一対の外側板状体１０６が、八の字形状になったり、逆八の字形状になった状態を吸収した状態で、免震ダンパー１００を取り付けることができる。
【００５９】
従って、一対の外側板状体１０６の角度と、図３と図４において、Ｘ方向（矢印Ａ方向）の離間距離の微調整が可能となる。
【００６０】
また、本発明の試験用固定治具１０では、図３、図４に示したように、固定部材３６には、免震ダンパー１００の外側板状体１０６の固定用突出部１１２に形成された取り付けボルト穴１１４に対応するように、締結ボルト穴４６が形成されている。
【００６１】
締結ボルト穴４６の内径の寸法Ｘ１が、締結ボルト５２の外形の寸法Ｘ２よりも大きく構成され、クリアランスＴ１が形成されている。
【００６２】
そして、締結ボルト穴４６の内径の寸法Ｘ１が、締結ボルト５２の外形の寸法Ｘ２よりも大きく構成され、クリアランスＴ１が形成されているので、図４のＹ−Ｚ平面に自由度がある。
【００６３】
さらに、図１、図３、図４に示したように、固定部材３６の内側には、免震ダンパー１００の外側板状体１０６の固定用突出部１１２に形成された取り付けボルト穴１１４に対応するように、締結ナット穴４８が形成された略板形状の締結ナット５０を備えている。
【００６４】
これにより、締結ナット穴４８が形成された締結ナット５０を介して、締結ボルト５２により、免震ダンパー１００の外側板状体１０６の固定用突出部１１２を締結することができるように構成されている。
【００６５】
このように構成することによって、締結ナット穴４８が形成された締結ナット５０を介して、締結ボルト５２により、免震ダンパー１００の外側板状体１０６の固定用突出部１１２を締結することができるので、図２〜図４、図７の回転方向（矢印Ｃ方向）のずれを吸収した状態で、免震ダンパー１００の取り付け作業が容易で、しっかりと固定できる。
【００６６】
これにより、図２〜図４、図７の回転方向（矢印Ｃ方向）のずれを吸収することができる。
【００６７】
また、図３、図４に示したように、加圧ナット２０の内径の寸法Ｙ１が、加圧ナット２０を介して装着された治具支柱２６の支柱部２８の外形の寸法Ｙ２よりも大きく構成され、クリアランスＴ２が形成されている。
【００６８】
これにより、図４のＸ−Ｙ平面の自由度が得られ、図２〜図４、図７のねじれ方向（矢印Ｂ方向）と、図７の厚さ方向（矢印Ａ方向、すなわち、離間距離方向）のずれを吸収することができる。
【００６９】
従って、本発明の試験用固定治具１０によれば、免震ダンパー１００のずれが矯正されず、免震ダンパー１００のずれが生じた状態のままで、免震ダンパー１００を試験用固定治具１０に固定可能で、実際の免震ダンパー１００の試験結果とかけ離れた試験データーになることなく、正確な試験を行うことが可能である。
【００７０】
また、従来のようなシム材、隙間ゲージなどの補正部材が不要で、コストと手間を低減でき、しかも、免震ダンパー１００の試験用固定治具１０への取り付けも容易で、取り付け精度のバラツキがなく、ガタつきによる非線形な要因が試験結果に影響を及ぼさない。
（実施例２）
【００７１】
図５は、本発明の試験用固定治具１０を、試験の一例として、振動試験を行う試験装置に適用した実施例を示す概略図、図６は、図５の試験装置本体の使用状態を説明する正面図である。
【００７２】
図５において、符号１０は、全体で本発明の試験装置を示している。
【００７３】
図５〜図６に示したように、本発明の試験装置２００は、試験を行うための試験装置本体２０２を備えている。
【００７４】
この試験装置本体２０２は、この実施例では、試験の一例として、振動試験を行う試験装置から構成されている。
【００７５】
図５に示したように、試験装置本体２０２は、架台フレーム２０４を備えており、この架台フレーム２０４の下方にシリンダーからなるアクチュエーター２０６を備えている。このアクチュエーター２０６には、本発明の試験用固定治具１０で固定した免震ダンパー１００からなるテストピースＰを載置するためのピストン２０８と、変位を検出するための変位検出器２１０とを備えている。
【００７６】
また、架台フレーム２０４の上方には、上方フレーム２１８が立設されており、この上方フレーム２１８には、上方フレーム２１８と架台フレーム２０４との間に、ガイドロッド２１２が設けられている。
【００７７】
そして、ガイドロッド２１２の下方と上方フレーム２１８との間には、ボールネジ２１４が設けられており、ボールネジ２１４により、ピストン２０８に対して、上下動可能なクロスヘッド２１６が設けられている。また、このクロスヘッド２１６には、ピストン２０８と対峙するように、荷重検出器２２０が設けられている。
【００７８】
また、図５に示したように、本発明の試験装置２００は、試験装置本体２０２に接続され、試験装置本体２０２に対して、試験条件などの設定、実施、試験データーの収集などを行うための試験制御装置として機能する制御装置２２２を備えている。
【００７９】
この実施例では、制御装置２２２は、試験条件などの設定画面、試験データーなどの表示を行うためのＣＲＴ２２４と、制御装置本体２２６と、キーボード２２８と、マウス２３０を備えている。従って、この制御装置２２２には、例えば、ハードディスクから構成される内部メモリーが内蔵されている。なお、制御装置本体２２６に、操作用のパソコンが接続されている場合がある。
【００８０】
そして、試験装置本体２０２のアクチュエーター２０６の変位検出器２１０と、制御装置本体２２６が接続されるとともに、試験装置本体２０２の荷重検出器２２０と、制御装置本体２２６が接続されている。
【００８１】
また、図５に示したように、この実施例の試験装置２００では、制御装置２２２の制御装置本体２２６に、例えば、パソコンからなる外部解析装置２３２が、通信回線（例えば、ＬＡＮ、ＧＰＩＢなど）を介して接続されている。なお、外部解析装置２３２は、制御装置２２２と同様に、試験条件、試験データーなどの表示を行うためのＣＲＴ２３６と、外部解析装置本体２３８と、キーボード２４０と、マウス２４２を備えている。
【００８２】
一方、本発明の試験装置２００では、制御装置２２２の制御装置本体２２６に接続されるとともに、試験装置本体２０２のアクチュエーター２０６に接続されたアクチュエーター駆動源２３４が設けられている。
【００８３】
このように構成される本発明の試験装置２００では、以下のように試験が行われる。
【００８４】
すなわち、図６に示したように、ピストン２０８の上面にテストピースＰを載置して、図示しない駆動機構によって、ボールネジ２１４により、ピストン２０８に対してクロスヘッド２１６を下降して、ピストン２０８の上面とクロスヘッド２１６の下面との間にテストピースＰを挟持する。
【００８５】
そして、制御装置２２２に予め記憶されたプログラムに基づいて、試験条件などの設定、実施、試験データーの収集が行われるようになっている。
【００８６】
すなわち、図５に示したように、制御装置２２２の制御によって、制御装置２２２に接続されたアクチュエーター駆動源２３４を所定の条件で駆動させる。これにより、アクチュエーター駆動源２３４に接続されたアクチュエーター２０６が所定の条件で駆動して、テストピースＰに対して一定の振動を与えるようになっている。
【００８７】
そして、アクチュエーター２０６に設けられた変位検出器２１０によって、テストピースＰの変位が検出され、テストピースＰの変位データーが、制御装置２２２の制御装置本体２２６に入力されるようになっている。一方、クロスヘッド２１６に設けられた荷重検出器２２０によって、テストピースＰにかかる荷重が検出され、テストピースＰにかかる荷重データーが、制御装置２２２の制御装置本体２２６に入力されるようになっている。
【００８８】
また、これらの試験データーに基づいて、制御装置２２２の制御装置本体２２６のプログラムに基づいて、制御装置２２２からアクチュエーター駆動源２３４に、フィードバック指令信号が出力され、アクチュエーター駆動源２３４を所定の条件で駆動させるようになっている。
【００８９】
以上、本発明の好ましい実施の態様を説明してきたが、本発明はこれに限定されることはなく、例えば、上記実施例では、図３に示したように、左右の固定治具部材１４に共通な１個の固定ナット１６が固定され、固定ナット１６には、左右の固定治具部材１４に対応するように、２個の固定用穴部１８が形成されているように構成した。
【００９０】
しかしながら、左右の固定治具部材１４に対して、それぞれ別体の２個の固定ナット１６が固定され、固定ナット１６には、左右の固定治具部材１４に対応するように、それぞれ１個の固定用穴部１８が形成されるようにしても良い。
【００９１】
また、上記実施例では、本発明の試験用固定治具１０を、試験の一例として、振動試験を行う試験装置に適用した実施例について説明したが、材料試験、振動試験、疲労試験、特性試験などを行うための材料試験装置、振動試験装置、疲労試験装置など各種の試験装置などにも適用可能であるなど本発明の目的を逸脱しない範囲で種々の変更が可能である。
【産業上の利用可能性】
【００９２】
本発明は、例えば、建築物の免震構造に用いられ、柱であるＨ形鋼とＨ形鋼との間の結合部、または、筋交いと柱であるＨ形鋼の結合部に用いられ、例えば、地震などの揺れによる衝撃を吸収するための免震ダンパーの試験用固定治具、および、免震ダンパーの試験用固定治具を用いた試験装置に適用することができる。
【符号の説明】
【００９３】
１０    試験用固定治具
１１    固定ボルト穴
１２    ベースプレート
１４    固定治具部材
１６    固定ナット
１８    固定用穴部
２０    加圧ナット
２１    雌ネジ
２２    雄ネジ
２４    挿通穴
２６    治具支柱
２８    支柱部
３９    拡径部
３０    治具本体部
３２    治具本体底部
３４    フランジ部
３６    固定部材
３８    回動軸
４０    回動固定部
４１    軸穴
４２    スリット
４４    ボルト
４６    締結ボルト穴
４８    締結ナット穴
５０    締結ナット
５２    締結ボルト
１００    免震ダンパー
１０２    内側板状体
１０２ｂ    端部
１０４    ゴム部材
１０４ａ、１０４ｂ    端部
１０６    外側板状体
１０６ａ、１０６ｂ    端部
１０８    固定用突出部
１０８    突出部
１０８ａ    端部
１１０    取り付けボルト穴
１１２    固定用突出部
１１４    取り付けボルト穴
２００    試験装置
２０２    試験装置本体
２０４    架台フレーム
２０６    アクチュエーター
２０８    ピストン
２１０    変位検出器
２１２    ガイドロッド
２１４    ボールネジ
２１６    クロスヘッド
２１８    上方フレーム
２２０    荷重検出器
２２２    制御装置
２２６    制御装置本体
２２８    キーボード
２３０    マウス
２３２    外部解析装置
２３４    アクチュエーター駆動源
２３８    外部解析装置本体
２４０    キーボード
２４２    マウス
Ａ    離間距離方向
Ｂ    矢印方向
Ｃ    回転方向
Ｄ    矢印
Ｐ    テストピース
Ｔ１    クリアランス
Ｔ２    クリアランス
Ｘ１    寸法
Ｘ２    寸法
Ｙ１    寸法
Ｙ２    寸法
【図１】
2019184334.tif 000003
【図２】
2019184334.tif 000004
【図３】
2019184334.tif 000005
【図４】
2019184334.tif 000006
【図５】
2019184334.tif 000007
【図６】
2019184334.tif 000008
【図７】
2019184334.tif 000009